(57)【要約】【課題】  複数の発光素子による全体の光の色度を安定させることができる光源装置及び制御装置を提供する。【解決手段】  光源装置は、発光素子に供給する電力を制御する制御装置を備える。制御装置は、温度測定部が測定する現在の温度に基づいて、発光素子に供給する電力を制御する第１電力制御部と、出力指示値が変化した際に、温度測定部が測定する現在の温度に関わらず、少なくとも変化後の出力指示値に基づいて、発光素子に供給する電力を制御する第２電力制御部と、を備える。【選択図】  図３
2016189262.tif 000002
【特許請求の範囲】
【請求項１】
波長の異なる光を発する複数の発光素子と、
前記発光素子の温度を測定する温度測定部と、
前記発光素子の出力値の指示である出力指示値に基づいて、前記発光素子に供給する電力を制御する制御装置と、を備え、
前記制御装置は、前記温度測定部が測定する現在の温度に基づいて、前記発光素子に供給する電力を制御する第１電力制御部と、前記出力指示値が変化した際に、前記温度測定部が測定する現在の温度に関わらず、少なくとも変化後の前記出力指示値に基づいて、前記発光素子に供給する電力を制御する第２電力制御部と、を備える光源装置。
【請求項２】
前記制御装置は、前記出力指示値が一定である期間が設定期間を経過した後に、前記第２電力制御部による制御から前記第１電力制御部による制御に切り替える制御切替部を備える請求項１に記載の光源装置。
【請求項３】
前記設定期間を設定する期間設定部を備え、
前記期間設定部は、前記出力指示値の変化量が大きいほど、前記設定期間を長く設定する請求項２に記載の光源装置。
【請求項４】
前記制御装置は、前記出力指示値の変化量が設定値以上である際に、前記第１電力制御部による制御から前記第２電力制御部による制御に切り替える制御切替部を備える請求項１〜３の何れか１項に記載の光源装置。
【請求項５】
前記第２電力制御部は、前記出力指示値が変化した際に、前記温度測定部が測定する現在の温度に関わらず、少なくとも変化後の前記出力指示値と前記出力指示値が変化する際に前記温度測定部が測定した温度とに基づいて、前記発光素子に供給する電力を制御する請求項１〜４の何れか１項に記載の光源装置。
【請求項６】
波長の異なる光を発する複数の発光素子の温度と、前記発光素子の出力値の指示である出力指示値とに基づいて、前記発光素子に供給する電力を制御する制御装置であって、
前記温度測定部が測定する現在の温度に基づいて、前記発光素子に供給する電力を制御する第１電力制御部と、前記出力指示値が変化した際に、前記温度測定部が測定する現在の温度に関わらず、少なくとも変化後の前記出力指示値に基づいて、前記発光素子に供給する電力を制御する第２電力制御部と、を備える制御装置。
【発明の詳細な説明】
【技術分野】
【０００１】
本発明は、波長の異なる光を発する複数の発光素子を備える光源装置に関する。また、本発明は、発光素子に供給する電力を制御する制御装置に関する。
【背景技術】
【０００２】
従来、光源装置として、波長の異なる光を発する複数の発光素子と、発光素子の温度を測定する温度測定部と、発光素子に供給する電力を制御する制御装置とを備える、光源装置が、知られている（例えば、特許文献１）。半導体レーザ等の発光素子においては、発光素子の温度が変わると、発する光の波長が変化するため、発する光の色度も変化する。
【０００３】
そこで、特許文献１に係る光源装置においては、制御部は、温度測定部が測定する温度に基づいて、発光素子に供給する電力を制御している。これにより、発光素子の温度が変化することで、発する光の波長、即ち、色度が変化した場合でも、複数の発光素子による全体の光の色度を安定させることができる。
【０００４】
ところで、発光素子が発する光の波長は、発光素子の内部に配置される発光部（エミッタ）の温度に依存している。そして、発光素子の出力値の指示である出力指示値が変化した場合（例えば、発光素子の出力を６０％から１００％に変化させる指示がされた場合等）、発光部の発熱量が大きく変化するため、発光部の温度が大きく変化する。
【０００５】
このとき、温度測定部が、発光素子の内部に配置される発光部の温度を直接に測定できないため、発光部の温度が大きく変化した場合には、実際の発光部の温度と温度測定部で測定される温度との間には、タイムラグが発生する。これにより、出力指示値が変化した際に、複数の発光素子による全体の光の色度が安定しないことがあった。
【先行技術文献】
【特許文献】
【０００６】
【特許文献１】特開２０１５−４９０２号公報
【発明の概要】
【発明が解決しようとする課題】
【０００７】
よって、本発明は、斯かる事情に鑑み、複数の発光素子による全体の光の色度を安定させることができる光源装置及び制御装置を提供することを課題とする。
【課題を解決するための手段】
【０００８】
光源装置は、波長の異なる光を発する複数の発光素子と、前記発光素子の温度を測定する温度測定部と、前記発光素子の出力値の指示である出力指示値に基づいて、前記発光素子に供給する電力を制御する制御装置と、を備え、前記制御装置は、前記温度測定部が測定する現在の温度に基づいて、前記発光素子に供給する電力を制御する第１電力制御部と、前記出力指示値が変化した際に、前記温度測定部が測定する現在の温度に関わらず、少なくとも変化後の前記出力指示値に基づいて、前記発光素子に供給する電力を制御する第２電力制御部と、を備える。
【０００９】
また、光源装置においては、前記制御装置は、前記出力指示値が一定である期間が設定期間を経過した後に、前記第２電力制御部による制御から前記第１電力制御部による制御に切り替える制御切替部を備える、という構成でもよい。
【００１０】
また、光源装置は、前記設定期間を設定する期間設定部を備え、前記期間設定部は、前記出力指示値の変化量が大きいほど、前記設定期間を長く設定する、という構成でもよい。
【００１１】
また、光源装置においては、前記制御装置は、前記出力指示値の変化量が設定値以上である際に、前記第１電力制御部による制御から前記第２電力制御部による制御に切り替える制御切替部を備える、という構成でもよい。
【００１２】
また、光源装置においては、前記第２電力制御部は、前記出力指示値が変化した際に、前記温度測定部が測定する現在の温度に関わらず、少なくとも変化後の前記出力指示値と前記出力指示値が変化する際に前記温度測定部が測定した温度とに基づいて、前記発光素子に供給する電力を制御する、という構成でもよい。
【００１３】
また、制御装置は、波長の異なる光を発する複数の発光素子の温度と、前記発光素子の出力値の指示である出力指示値とに基づいて、前記発光素子に供給する電力を制御する制御装置であって、前記温度測定部が測定する現在の温度に基づいて、前記発光素子に供給する電力を制御する第１電力制御部と、前記出力指示値が変化した際に、前記温度測定部が測定する現在の温度に関わらず、少なくとも変化後の前記出力指示値に基づいて、前記発光素子に供給する電力を制御する第２電力制御部と、を備える。
【発明の効果】
【００１４】
以上の如く、本発明に係る光源装置及び制御装置は、複数の発光素子による全体の光の色度を安定させることができる、という優れた効果を奏する。
【図面の簡単な説明】
【００１５】
【図１】一実施形態に係る光源装置を有する画像投影装置の全体概略図である。
【図２】同実施形態に係る光源装置の全体概略図である。
【図３】同実施形態に係る光源装置の制御ブロック図である。
【図４】同実施形態に係る光源装置の第１電力制御部による制御方法を説明する図である。
【図５】同実施形態に係る光源装置の第２電力制御部による制御方法を説明する図である。
【図６】同実施形態に係る光源装置の電力制御のフローチャートである。
【図７】同実施形態に係る光源装置の効果を説明する図であって、出力指示値の変化を示す図である。
【図８】同実施形態に係る光源装置の効果を説明する図であって、実際の発光部の温度、測定される発光素子の温度、及び発光素子が発する光の波長のそれぞれの変化を示す図である。
【図９】同実施形態に係る光源装置の効果を説明する図であって、比較例に係る色度の変化を示す図である。
【図１０】同実施形態に係る光源装置の効果を説明する図であって、実施例に係る色度の変化を示す図である。
【発明を実施するための形態】
【００１６】
以下、光源装置における一実施形態について、図１〜図１０を参酌して説明する。なお、各図において、図面の寸法比と実際の寸法比とは、必ずしも一致していない。
【００１７】
図１に示すように、本実施形態に係る光源装置２は、画像投影装置１に用いられている。画像投影装置１は、それぞれ異なる色の光を出射する複数（本実施形態においては３つ）の光源装置２（２Ｒ，２Ｇ，２Ｂ）と、光源装置２からの光で光画像を形成し、スクリーン２００に投影する画像投影部１００とを備えている。また、画像投影装置１は、光源装置２から出射された光を画像投影部１００に入射する導光体（例えば、光ファイバ）１１０を備えている。
【００１８】
光源装置２は、第１の色（例えば、赤色）の光を出射する第１の光源装置２Ｒと、第２の色（例えば、緑色）の光を出射する第２の光源装置２Ｇと、第３の色（例えば、青色）の光を出射する第３の光源装置２Ｂとを備えている。本実施形態においては、複数の光源装置２は、第１〜第３の色（各色波長領域）の光を分離した状態で画像投影部１００に向けて出射している。
【００１９】
本実施形態においては、第１の光源装置２Ｒは、赤色光を出射すべく、赤色波長領域である５９０〜６９３ｎｍ（特に、６１５ｎｍ〜６６５ｎｍ）の波長の光を出射している。第２の光源装置２Ｇは、緑色光を出射すべく、緑色波長領域である４９８〜５８０ｎｍ（特に、５２０ｎｍ〜５５５ｎｍ）の波長の光を出射している。第３の光源装置２Ｂは、青色光を出射すべく、青色波長領域である４１０〜４９６ｎｍ（特に、４４５ｎｍ〜４７５ｎｍ）の波長の光を出射している。
【００２０】
画像投影部１００は、導光体１１０から出射された光を均一となるように拡散する均一化光学系（例えば、ロッドインテグレータ）１０１を備えている。また、画像投影部１００は、均一化光学系１０１から出射された光が入射されて光画像を形成する画像形成光学系１０２と、画像形成光学系１０２から出射された光が入射され、当該光を、スクリーン２００に向けて投射する投影光学系１０３を備えている。
【００２１】
画像形成光学系１０２は、図示していないが、光源装置２から出射された光で光画像を形成して出射する空間変調素子と、空間変調素子から出射された光を合成する光合成素子（例えば、ダイクロイックプリズム）を備えている。例えば、空間変調素子は、透過型液晶素子、反射型液晶素子、又はデジタルマイクロミラーデバイスである。また、投影光学系１０３は、画像形成光学系１０２の光画像をスクリーン２００で結像させている。例えば、投影光学系１０３は、投影レンズである。
【００２２】
導光体１１０は、光源装置２及び画像投影部１００とそれぞれ着脱可能に接続されている。そして、光源装置２は、導光体１１０の一端部と接続される第１接続部２ａを備えており、画像投影部１００は、導光体１１０の他端部と接続される第２接続部１０４を備えている。
【００２３】
光源装置２は、図２に示すように、波長の異なる光を発する複数の発光素子３と、発光素子３から出射した光が入射され、該光を導光体１１０に向けて出射する光学系４とを備えている。また、光源装置２は、発光素子３に電力を供給する電源５と、発光素子３に供給する電力を変更する駆動部６とを備えている。
【００２４】
光源装置２は、各種情報を入力するための入力部７と、発光素子３に供給する電力を、駆動部６を経由して制御する制御装置８とを備えている。また、光源装置２は、発光素子３から伝熱される伝熱体９と、発光素子３を冷却する冷却体１０と、伝熱体９を経由して、発光素子３の温度を測定する温度測定部１１とを備えている。
【００２５】
発光素子３は、ベース体３１と、ベース体３１の内部に配置される発光部３２とを備えている。本実施形態においては、発光素子３は、半導体レーザとしている。なお、該半導体レーザは、１つの発光部３２を有するシングルエミッタタイプでもよく、複数の発光部３２を有するアレイタイプでもよい。そして、発光素子３においては、発光部３２の温度が変化すると、発光部３２から発する光の波長が変化し、それに伴って、発する光の色度も変化する。
【００２６】
複数の発光素子３は、第１の範囲の波長の光を発する複数の第１発光素子３ａと、第１の範囲と異なる第２の範囲の波長の光を発する複数の第２発光素子３ｂとを備えている。本実施形態に係る第１の光源装置２Ｒにおいては、例えば、第１の範囲は、６３８〜６４２ｎｍであり、第２の範囲は、６５８〜６６２ｎｍである。なお、発光素子３は、少なくとも二つ備えられていればよく、発光素子３が備えられる数量は、特に限定されない。
【００２７】
光学系４は、各発光素子３から発せられた光が入射される複数のコリメータレンズ４１と、各コリメータレンズ４１から出射された光が入射され、該光を導光体１１０に向けて出射する収束レンズ４２とを備えている。そして、コリメータレンズ４１は、発光素子３から発せられた光を平行光にして出射し、収束レンズ４２は、コリメータレンズ４１から出射された光を収束させて、導光体１１０に入射させている。
【００２８】
入力部７は、発光素子３の出力値の指示である出力指示値が入力されるように、構成されている。なお、発光素子３の出力値としては、例えば、出力（ワット：Ｗ）、光束（ルーメン：ｌｍ）等が、挙げられる。
【００２９】
例えば、入力部７は、切り替えスイッチ又はボタン等であり、ユーザが各種モード（例えば、出力指示値が８０％である標準モード、出力指示値が１００％である高出力モード、出力指示値が６０％である省エネモード等）を選択することにより、所定の出力指示値が入力部７に入力される、という構成でもよい。また、例えば、入力部７は、スライド式又は回転式のスイッチ等であり、ユーザが操作することにより、０〜１００％の範囲で出力指示値が入力部７に入力される、という構成でもよい。
【００３０】
温度測定部１１は、発光部３２の温度を、発光素子３のベース体３１及び伝熱体９を経由して測定している。本実施形態においては、温度測定部１１は、温度センサである。なお、温度測定部１１は、一つ備えられる、という構成に限られず、例えば、複数備えられ、各発光素子３の温度を個別に測定する、という構成でもよい。また、温度測定部１１は、伝熱体９を介在させることなく、発光素子３に接することで、発光部３２の温度を、発光素子３のベース体３１のみを経由して測定してもよい。
【００３１】
制御装置８は、図３に示すように、入力部７に入力される出力指示値や温度測定部１１で測定した温度を受信する受信部８１と、各種情報を記憶する記憶部８２とを備えている。また、制御装置８は、発光素子３が所定の温度（例えば、３５℃以下）となるように、冷却体１０を制御することで、発光素子３の温度を制御する温度制御部８３を備えている。
【００３２】
制御装置８は、温度測定部１１が測定する現在の温度に基づいて、発光素子３に供給する電力を制御する第１電力制御部８４と、温度測定部１１が測定する現在の温度に関わらず、発光素子３に供給する電力を制御する第２電力制御部８５とを備えている。また、制御装置８は、第１電力制御部８４による制御と第２電力制御部８５による制御とを切り替える制御切替部８６と、第２電力制御部８５による制御の期間を設定する期間設定部８７とを備えている。
【００３３】
第１電力制御部８４は、温度測定部１１が測定する現在の温度に基づいて、発光素子３に供給する電力をフィードバック制御している。本実施形態においては、第１電力制御部８４は、温度測定部１１が測定する現在の温度と、入力部７に入力された出力指示値と、図４に示すような記憶部８２に記憶されている情報とに基づいて、発光素子３に供給する電力を制御している。なお、第１電力制御部８４は、駆動部６を制御することで、発光素子３に供給する電力を制御している。
【００３４】
図４は、出力指示値が６０％である場合に、第１電力制御部８４による制御により、発光素子３に供給する入力電力の情報を示している。図４において、実線Ｐ１は、第１発光素子３ａに供給する入力電力を示し、破線Ｐ２は、第２発光素子３ｂに供給する入力電力を示している。
【００３５】
なお、記憶部８２は、各出力指示値（例えば、０〜１００％）ごとに、発光素子３に供給する入力電力の情報を記憶している。また、記憶部８２が記憶している入力電力の情報は、図４に示すような各出力指示値ごとのグラフの形態だけでなく、テーブル（一覧表）の形態でもよく、また、演算式の形態でもよい。
【００３６】
第２電力制御部８５は、温度測定部１１が測定する現在の温度に関わらず、発光素子３に供給する電力を非フィードバック制御している。具体的には、第２電力制御部８５は、出力指示値が変化した際に、変化後の出力指示値に基づいて予め設定された電力を発光素子３に供給するように、制御している。
【００３７】
本実施形態においては、第２電力制御部８５は、出力指示値が変化した際に、温度測定部１１が測定する現在の温度に関わらず、変化後の出力指示値と、出力指示値が変化する際に温度測定部１１が測定した温度と、図５に示すような記憶部８２に記憶されている情報とに基づいて、発光素子３に供給する電力を制御している。なお、第２電力制御部８５は、駆動部６を制御することで、発光素子３に供給する電力を制御している。
【００３８】
図５は、出力指示値が変化した際に、温度測定部１１が測定した温度が２５℃である場合に、第２電力制御部８５の制御により、発光素子３に供給する入力電力の情報を示している。図５において、実線Ｐ１は、第１発光素子３ａに供給する入力電力を示し、破線Ｐ２は、第２発光素子３ｂに供給する入力電力を示している。
【００３９】
なお、記憶部８２は、出力指示値が変化した際における、温度測定部１１が測定した温度（例えば、２０〜３５℃）ごとに、発光素子３に供給する入力電力の情報を記憶している。また、記憶部８２が記憶している入力電力の情報は、図５に示すような出力指示値変化時の各温度ごとのグラフの形態だけでなく、テーブル（一覧表）の形態でもよく、また、演算式の形態でもよい。
【００４０】
制御切替部８６は、出力指示値の変化量が設定値以上である際に、第１電力制御部８４による制御から第２電力制御部８５による制御に切り替える。なお、該設定値は、記憶部８２に記憶されている。そして、該設定値は、予め設定されていてもよく、また、入力部７により入力されてもよい。
【００４１】
また、制御切替部８６は、出力指示値が一定である期間が設定期間を経過した後に、第２電力制御部８５による制御から第１電力制御部８４による制御に切り替える。なお、該設定期間は、期間設定部８７により、設定されている。そして、期間設定部８７は、出力指示値の変化量が大きいほど、該設定期間を長く設定する。
【００４２】
本実施形態に係る光源装置２の構成については以上の通りであり、次に、本実施形態に係る光源装置２の制御方法について、図６を参酌して説明する。
【００４３】
まず、第１電力制御部８４は、温度測定部１１が測定する現在の温度と、入力部７に入力された出力指示値と、記憶部８２に記憶されている情報とに基づいて、発光素子３に供給する電力をフィードバック制御している（Ｓ１０１）。これにより、発光素子３の温度が変化し、発光素子３から発する光の波長が変化した場合でも、複数の発光素子３による全体の光の色度を一定にすることができる。
【００４４】
そして、入力部７に入力される出力指示値が変化し（Ｓ１０２の「Ｙ」）、出力指示値の変化量が設定値Ｓ１未満である（Ｓ１０３の「Ｎ」）場合には、実際の発光部３２の温度と温度測定部１１で測定される温度との間に、タイムラグは、殆ど発生していない。したがって、制御切替部８６は、第１電力制御部８４による制御を継続する（Ｓ１０２に戻る）。
【００４５】
一方、入力部７に入力される出力指示値が変化し（Ｓ１０２の「Ｙ」）、出力指示値の変化量が設定値Ｓ１以上である（Ｓ１０３の「Ｙ」）場合には、実際の発光部３２の温度と温度測定部１１で測定される温度との間に、タイムラグが発生している。したがって、制御切替部８６は、第１電力制御部８４による制御から第２電力制御部８５による制御に切り替える（Ｓ１０４）。
【００４６】
そして、第２電力制御部８５は、温度測定部１１が測定する現在の温度に関わらず、変化後の出力指示値と、出力指示値が変化する際に温度測定部１１が測定した温度と、記憶部８２に記憶されている情報とに基づいて、発光素子３に供給する電力を制御している。これにより、実際の発光部３２の温度と温度測定部１１で測定される温度との間に、タイムラグが発生していても、複数の発光素子３による全体の光の色度を一定にすることができる。
【００４７】
そして、期間設定部８７は、第２電力制御部８５による制御を行う設定期間Ｓ２を設定する（Ｓ１０５）。このとき、出力指示値の変化量が大きいほど、実際の発光部３２の温度と温度測定部１１で測定される温度との間における、タイムラグが発生する期間が、長くなる。そこで、出力指示値の変化量が大きいほど、設定期間Ｓ２が長く設定される。
【００４８】
その後、入力部７に入力される出力指示値が、設定期間Ｓ２だけ一定（同じ値、略同じ値、又は前記設定値Ｓ１未満の変化値）である場合（Ｓ１０６の「Ｙ」）、実際の発光部３２の温度と温度測定部１１で測定される温度との間に、タイムラグは殆ど発生していない。したがって、制御切替部８６は、第２電力制御部８５による制御から第１電力制御部８４による制御に切り替える（Ｓ１０１に戻る）。
【００４９】
次に、光源装置２の構成と効果を具体的に示すため、光源装置の実施例とその比較例とについて、図７〜図１０を参酌して、以下に説明する。
【００５０】
実施例は、図１〜図６に係る上記実施形態に係る光源装置２である。一方、比較例は、第１電力制御部８４による制御のみを行う光源装置である。なお、各光源装置の第１の光源装置において、複数の発光素子３による全体の光の色度の目標値は、色度ｘを０．７１９０とし、且つ色度ｙを０．２８１０としている。
【００５１】
図７に示すように、各光源装置に対して、時間ｔ１で、出力指示値が８０％から６０％に変化された。このとき、発光部３２からの発熱量が小さくなるため、図８に示すように、発光部３２の温度Ｔ１が低下する。具体的には、発光部３２の温度Ｔ１は、時間ｔ１から時間ｔ２にかけて、徐々に低下し、時間ｔ２で、一定（２５℃）になる。それに伴って、発光部３２から発する光の波長Ｗ１も、時間ｔ１から時間ｔ２にかけて、徐々に低下し、時間ｔ２で、一定（６３９．５ｎｍ）になる。
【００５２】
それに対して、温度測定部１１が測定する温度Ｔ２は、発光素子３のベース体３１及び伝熱体９を経由して、発光部３２の温度を測定しているため、実際の発光部３２の温度Ｔ１とタイムラグを有する。具体的には、温度測定部１１が測定する温度Ｔ２は、時間ｔ１から時間ｔ３にかけて、徐々に低下し、時間ｔ２より後である時間ｔ３で、一定（２５℃）になる。なお、図８は、第１発光素子３ａについて示しているが、第２発光素子３ｂも、同様の現象である。
【００５３】
そして、比較例に係る光源装置は、常時、第１電力制御部８４による制御を行っている。したがって、図９に示すように、比較例に係る光源装置においては、複数の発光素子３による全体の光の色度ｘ０は、出力指示値が変化した時間ｔ１の直後に、目標値から大きく外れている。
【００５４】
それに対して、実施例に係る光源装置２は、出力指示値が変化した時間ｔ１に、第１電力制御部８４による制御から第２電力制御部８５による制御に切り替える。そして、実施例に係る光源装置２は、実際の発光部３２の温度Ｔ１と温度測定部１１で測定される温度Ｔ２との間にタイムラグが解消された時間ｔ３に、第２電力制御部８５による制御から第１電力制御部８４による制御に切り替える。
【００５５】
したがって、図１０に示すように、実施例に係る光源装置２においては、複数の発光素子３による全体の光の色度ｘ１は、出力指示値が変化した時間ｔ１の直後でも、目標値から殆ど外れることなく、安定している。なお、図９及び図１０は、色度ｘについて示しているが、色度ｙについても同様である。また、第１の光源装置２Ｒについて説明したが、第２及び第３の光源装置２Ｇ，２Ｂも、同様の効果を奏する。
【００５６】
以上より、本実施形態に係る光源装置２は、波長の異なる光を発する複数の発光素子３と、前記発光素子３の温度を測定する温度測定部１１と、前記発光素子３の出力値の指示である出力指示値に基づいて、前記発光素子３に供給する電力を制御する制御装置８と、を備え、前記制御装置８は、前記温度測定部１１が測定する現在の温度に基づいて、前記発光素子３に供給する電力を制御する第１電力制御部８４と、前記出力指示値が変化した際に、前記温度測定部１１が測定する現在の温度に関わらず、少なくとも変化後の前記出力指示値に基づいて、前記発光素子３に供給する電力を制御する第２電力制御部８５と、を備える。
【００５７】
また、本実施形態に係る制御装置８は、波長の異なる光を発する複数の発光素子３の温度と、前記発光素子３の出力値の指示である出力指示値とに基づいて、前記発光素子３に供給する電力を制御する制御装置８であって、前記温度測定部１１が測定する現在の温度に基づいて、前記発光素子３に供給する電力を制御する第１電力制御部８４と、前記出力指示値が変化した際に、前記温度測定部１１が測定する現在の温度に関わらず、少なくとも変化後の前記出力指示値に基づいて、前記発光素子３に供給する電力を制御する第２電力制御部８５と、を備える。
【００５８】
斯かる構成によれば、第１電力制御部８４は、温度測定部１１が測定する現在の温度に基づいて、発光素子３に制御する電力を制御する。これにより、発光素子３の温度が変化し、発光素子３から発する光の波長、即ち、色度が変化しても、複数の発光素子３による全体の光の色度を安定させることができる。
【００５９】
そして、第２電力制御部８５は、出力指示値が変化した際に、温度測定部１１が測定する現在の温度に関わらず、少なくとも変化後の出力指示値に基づいて、発光素子３に供給する電力を制御する。これにより、実際の発光部３２の温度と温度測定部１１で測定される温度との間に、タイムラグが発生している場合でも、複数の発光素子３による全体の光の色度を安定させることができる。
【００６０】
また、本実施形態に係る光源装置２においては、前記制御装置８は、前記出力指示値が一定である期間が設定期間を経過した後に、前記第２電力制御部８５による制御から前記第１電力制御部８４による制御に切り替える制御切替部８６を備える、という構成である。
【００６１】
斯かる構成によれば、制御切替部８６は、出力指示値が一定である期間が設定期間を経過した後に、第２電力制御部８５による制御から第１電力制御部８４による制御に切り替える。これにより、実際の発光部３２の温度と温度測定部１１で測定される温度との間における、タイムラグが解消した後に、第２電力制御部８５による制御から第１電力制御部８４による制御に切り替えることができる。したがって、複数の発光素子３による全体の光の色度をさらに安定させることができる。
【００６２】
また、本実施形態に係る光源装置２は、前記設定期間を設定する期間設定部８７を備え、前記期間設定部８７は、前記出力指示値の変化量が大きいほど、前記設定期間を長く設定する、という構成である。
【００６３】
斯かる構成によれば、期間設定部８７は、第２電力制御部８５による制御から第１電力制御部８４による制御に切り替えるための設定期間を設定している。ところで、出力指示値の変化量が大きいほど、実際の発光部３２の温度と温度測定部１１で測定される温度との間における、タイムラグが発生する期間が長くなる。そこで、期間設定部８７は、出力指示値の変化量が大きいほど、設定期間を長く設定する。これにより、複数の発光素子３による全体の光の色度をさらに安定させることができる。
【００６４】
また、本実施形態に係る光源装置２においては、前記制御装置８は、前記出力指示値の変化量が設定値以上である際に、前記第１電力制御部８４による制御から前記第２電力制御部８５による制御に切り替える制御切替部８６を備える、という構成である。
【００６５】
斯かる構成によれば、制御切替部８６は、出力指示値の変化量が設定値以上である際に、第１電力制御部８４による制御から第２電力制御部８５による制御に切り替える。これにより、実際の発光部３２の温度と温度測定部１１で測定される温度との間にタイムラグが発生する場合に限り、第１電力制御部８４による制御から第２電力制御部８５による制御に切り替えることができる。したがって、複数の発光素子３による全体の光の色度を効果的に安定させることができる。
【００６６】
また、本実施形態に係る光源装置２においては、前記第２電力制御部８５は、前記出力指示値が変化した際に、前記温度測定部１１が測定する現在の温度に関わらず、少なくとも変化後の前記出力指示値と前記出力指示値が変化する際に前記温度測定部１１が測定した温度とに基づいて、前記発光素子３に供給する電力を制御する、という構成である。
【００６７】
斯かる構成によれば、第２電力制御部８５は、変化後の出力指示値だけでなく、少なくとも出力指示値が変化する際に温度測定部１１が測定した温度にも基づいて、発光素子３に供給する電力を制御する。これにより、実際の発光部３２の温度と温度測定部１１で測定される温度との間に、タイムラグが発生している場合でも、複数の発光素子３による全体の光の色度を効果的に安定させることができる。
【００６８】
なお、光源装置及び制御装置は、上記した実施形態の構成に限定されるものではなく、また、上記した作用効果に限定されるものではない。また、光源装置及び制御装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００６９】
上記実施形態に係る光源装置２においては、ユーザが入力部７を操作することにより、出力指示値が受信部８１で受信される、という構成である。しかしながら、光源装置は、斯かる構成に限られない。例えば、光源装置においては、出力指示値が自動的に受信部８１で受信する、という構成でもよい。また、例えば、光源装置においては、制御装置は、所定の情報を受信して、当該情報に基づいて出力指示値を演算する、という構成でもよい。
【００７０】
一例として、光源装置は、周囲の明るさを測定する明るさ測定部を備え、制御装置は、明るさ測定部が測定した明るさに基づいて、出力指示値を演算する指示値演算部を備える、という構成でもよい。斯かる構成によれば、周囲の明るさに応じて、出力指示値を自動的に変更することができる。例えば、指示値演算部は、周囲の明るさが明るい場合に、出力指示値を大きくなるように演算し、周囲の明るさが暗い場合に、出力指示値を小さくなるように演算してもよい。
【００７１】
また、上記実施形態に係る光源装置２においては、第１発光素子３ａが発する光の波長の範囲（第１の範囲）と、第２発光素子３ｂが発する光の波長の範囲（第２の範囲）とは、重ならない、という構成である。しかしながら、光源装置は、斯かる構成に限られない。例えば、光源装置においては、第１発光素子３ａが発する光の波長の範囲（第１の範囲）と、第２発光素子３ｂが発する光の波長の範囲（第２の範囲）とは、一部重なる、という構成でもよい。
【００７２】
また、上記実施形態に係る光源装置２及び制御装置８においては、第１及び第２電力制御部８４，８５は、二つの発光素子群ごとに供給する電力を制御する、即ち、複数の第１発光素子３ａと複数の第２発光素子３ｂとに供給する電力をそれぞれ制御する、という構成である。しかしながら、光源装置及び制御装置は、斯かる構成に限られない。
【００７３】
例えば、光源装置及び制御装置においては、第１及び第２電力制御部８４，８５の少なくとも一方は、三つ以上の発光素子群ごとに、供給する電力を制御する、という構成でもよい。また、例えば、光源装置及び制御装置においては、第１及び第２電力制御部８４，８５の少なくとも一方は、各発光素子ごとに、供給する電力を制御する、という構成でもよい。
【００７４】
また、上記実施形態に係る光源装置２及び制御装置８においては、期間設定部８７は、出力指示値の変化量が大きいほど、第２電力制御部８５による制御から第１電力制御部８４による制御に切り替えるための設定期間を長く設定する、という構成である。しかしながら、光源装置及び制御装置は、斯かる構成に限られない。例えば、光源装置及び制御装置においては、期間設定部８７は、出力指示値の変化量に関わらず、同じ設定期間を設定する、という構成でもよい。
【００７５】
また、上記実施形態に係る光源装置２及び制御装置８においては、制御切替部８６は、出力指示値の変化量が設定値以上である際に、第１電力制御部８４による制御から第２電力制御部８５による制御に切り替える、という構成である。しかしながら、光源装置及び制御装置は、斯かる構成に限られない。例えば、光源装置及び制御装置においては、制御切替部８６は、出力指示値が変化した際に、出力指示値の変化量に関わらず、第１電力制御部８４による制御から第２電力制御部８５による制御に切り替える、という構成でもよい。
【００７６】
また、上記実施形態に係る光源装置２及び制御装置８においては、第２電力制御部８５は、変化後の出力指示値と、出力指示値が変化する際に温度測定部１１が測定した温度とに基づいて、発光素子３に供給する電力を制御する、という構成である。しかしながら、光源装置及び制御装置は、斯かる構成に限られない。
【００７７】
例えば、光源装置２及び制御装置８においては、第２電力制御部８５は、変化後の出力指示値のみに基づいて、発光素子３に供給する電力を制御する、という構成でもよい。また、例えば、光源装置２及び制御装置８においては、第２電力制御部８５は、変化後の出力指示値と、出力指示値の変化量とに基づいて、発光素子３に供給する電力を制御する、という構成でもよい。また、例えば、光源装置２及び制御装置８においては、第２電力制御部８５は、変化後の出力指示値と、出力指示値の変化量と、出力指示値が変化する際に温度測定部１１が測定した温度とに基づいて、発光素子３に供給する電力を制御する、という構成でもよい。
【００７８】
また、上記実施形態に係る光源装置２及び制御装置８は、画像投影装置１に用いられている、という構成である。しかしながら、光源装置及び制御装置は、斯かる構成に限られない。例えば、光源装置及び制御装置は、所定領域を照らす照明装置に用いられている、という構成でもよい。
【００７９】
また、光源装置２及び制御装置８においては、第１及び第２電力制御部８４，８５は、例えば、発光素子３に供給する電流、発光素子３に供給する電圧、又は発光素子３に供給する電力のパルス幅を変化させることで、発光素子３に供給する電力を制御する、という構成でもよい。また、例えば、光源装置２及び制御装置８においては、第１及び第２電力制御部８４，８５は、複数の発光素子３からなる発光素子群の、発光させる発光素子３の数を変化させることで、発光素子３に供給する電力を制御する、という構成でもよい。
【符号の説明】
【００８０】
１…画像投影装置、２…光源装置、２ａ…第１接続部、２Ｒ…第１の光源装置、２Ｇ…第２の光源装置、２Ｂ…第３の光源装置、３…発光素子、３ａ…第１発光素子、３ｂ…第２発光素子、４…光学系、５…電源、６…駆動部、７…入力部、８…制御装置、９…伝熱体、１０…冷却体、１１…温度測定部、３１…ベース体、３２…発光部、４１…コリメータレンズ、４２…収束レンズ、８１…受信部、８２…記憶部、８３…温度制御部、８４…第１電力制御部、８５…第２電力制御部、８６…制御切替部、８７…期間設定部、１００…画像投影部、１０１…均一化光学系、１０２…画像形成光学系、１０３…投影光学系、１０４…第２接続部、１１０…導光体、２００…スクリーン
【図１】
2016189262.tif 000003
【図２】
2016189262.tif 000004
【図３】
2016189262.tif 000005
【図４】
2016189262.tif 000006
【図５】
2016189262.tif 000007
【図６】
2016189262.tif 000008
【図７】
2016189262.tif 000009
【図８】
2016189262.tif 000010
【図９】
2016189262.tif 000011
【図１０】
2016189262.tif 000012